(57)【特許請求の範囲】
【請求項１】
圧縮機と、四方弁と、室外側熱交換器と、キャピラリチューブと、少なくとも一つの室内側熱交換器とが順次配管接続されてなる空気調和機において、
前記室外側熱交換器の出口側と、前記圧縮機の吸込側とに、第一電磁弁および流量調整用の第一キャピラリチューブを備え、前記圧縮機の吐出温度を低下させる第一バイパス路を接続するとともに、
前記圧縮機の吐出側と、同圧縮機の吸込側であって前記第一バイパス路の接続部および前記四方弁の間とに、第二電磁弁および流量調整用の第二キャピラリチューブを備え、前記圧縮機の吐出温度を上昇させる第二バイパス路を接続し、
前記室内側熱交換器に、同室内側熱交換器の温度を検出する温度検出器を添設し、
低外気温時における冷房運転時に、前記温度検出器で検出された前記室内側熱交換器の温度が所定の温度以下になった時、前記第一電磁弁および前記第二電磁弁を開放するようにしたことを特徴とする空気調和機。
【請求項２】
前記第一バイパス路と前記第二バイパス路が、別々に前記圧縮機の吸込側に接続され、前記第一バイパス路の接続口が前記第二バイパス路の接続口より前記圧縮機側に接続されることを特徴とする請求項１に記載の空気調和機。
【発明の詳細な説明】
【０００１】
【発明の属する技術分野】
本発明は、冷凍可逆サイクルを形成した空気調和機に係わり、より詳細には、低外気温時における冷房運転時に室内側熱交換器への結氷を防止できるとともに、通常の冷暖房運転時にパワーセーブバイパスとして使用できるバイパス路を設けた構造に関する。
【０００２】
【従来の技術】
冷凍可逆サイクルを構成した従来の空気調和機は、例えば図２で示すように、圧縮機１と、四方弁２と、室外側熱交換器３と、キャピラリチューブ４と、複数の室内機５に備えた室内側熱交換器5aおよび5bとが順次配管接続されてなり、冷房運転時には、実線の矢印で示すような冷媒回路を構成し、暖房運転時には、破線の矢印で示すような冷媒回路を構成していた。
【０００３】
しかしながら、例えば低外気温時における冷房運転時には、低圧側および高圧側の冷媒圧力が低下して前記室内側熱交換器5aおよび5b内の冷媒温度が０℃以下になってしまうことから、同室内側熱交換器5aおよび5bの表面で水分が結氷してしまい、この結氷が成長しないようにするため前記圧縮機１のＯＮーＯＦＦを繰り返すことになって、消費電力量が増加したり、機器の信頼性が低下してしまうなどの問題点を有していた。
【０００４】
【発明が解決しようとする課題】
本発明においては、上記の問題点に鑑み、低外気温時における冷房運転時に室内側熱交換器への結氷を防止できるとともに、通常の冷暖房運転時にパワーセーブバイパスとして使用できるバイパス路を設けた冷凍可逆サイクルでなる空気調和機を提供することを目的とする。
【０００５】
【課題を解決するための手段】
本発明は、上記課題を解決するため、圧縮機と、四方弁と、室外側熱交換器と、キャピラリチューブと、少なくとも一つの室内側熱交換器とが順次配管接続されてなる空気調和機において、前記室外側熱交換器の出口側と、前記圧縮機の吸込側とに、第一電磁弁および流量調整用の第一キャピラリチューブを備え、前記圧縮機の吐出温度を低下させる第一バイパス路を接続するとともに、前記圧縮機の吐出側と、同圧縮機の吸込側であって前記第一バイパス路の接続部および前記四方弁の間とに、第二電磁弁および流量調整用の第二キャピラリチューブを備え、前記圧縮機の吐出温度を上昇させる第二バイパス路を接続し、前記室内側熱交換器に、同室内側熱交換器の温度を検出する温度検出器を添設し、低外気温時における冷房運転時に、前記温度検出器で検出された前記室内側熱交換器の温度が所定の温度以下になった時、前記第一電磁弁および前記第二電磁弁を開放するようにした構成となっている。
【０００６】
また、前記第一バイパス路と前記第二バイパス路が、別々に前記圧縮機の吸込側に接続され、前記第一バイパス路の接続口が前記第二バイパス路の接続口より前記圧縮機側に接続されるようにした構成となっている。
【０００７】
【発明の実施の形態】
以下、本発明の実施の形態を、添付図面に基づいた実施例として説明する。
図１は本発明による空気調和機の冷凍サイクル図である。
図で示すように、本発明による空気調和機の冷凍サイクルの基本構成は、上記に説明した従来技術における構成と同様に、圧縮機１と、四方弁２と、室外側熱交換器３と、キャピラリチューブ４と、複数の室内機５に備えた室内側熱交換器5aおよび5bとが順次配管接続されてなり、冷房運転時には実線の矢印で示すような冷媒回路を構成し、暖房運転時には破線の矢印で示すような冷媒回路を構成している。
【０００８】
上記に説明した基本構成において、低外気温時における冷房運転時に室内側熱交換器への結氷を防止できるとともに、通常の冷暖房運転時にパワーセーブバイパスとして使用できるバイパス路を設けた冷凍可逆サイクルの構成について、図に基づいて以下に説明する。
【０００９】
前記室外側熱交換器３の出口側と、前記圧縮機１の吸込側とに、第一電磁弁６および流量調整用の第一キャピラリチューブ７を備えた第一バイパス路Ａを接続するとともに、前記圧縮機１の吐出側と、同圧縮機１の吸込側であって前記第一バイパス路Ａの接続部および前記四方弁２の間とに、第二電磁弁８および流量調整用の第二キャピラリチューブ９を備えた第二バイパス路Ｂを接続し、前記室内側熱交換器5aおよび5bに、同室内側熱交換器5aおよび5bの温度を検出する温度検出器10を添設し、低外気温時における冷房運転時に、前記温度検出器10で検出された前記室内側熱交換器5aおよび5bの温度が所定の温度以下になった時、前記第一電磁弁６および前記第二電磁弁８を開放するようにした構成となっている。
【００１０】
上記構成により、低外気温時の冷房運転時に、前記第一バイパス路Ａを使用することによって、低圧側の圧力が上昇して、低エンタルピィでのバイパス路となることから、吐出温度を低下させる効果がある。
また、前記第二バイパス路Ｂを使用することによって、低エンタルピィでのバイパス路であることから、吐出温度を上昇させる効果がある。
【００１１】
そこで、前記第一バイパス路Ａおよび前記第二バイパス路Ｂを使用することにより、冷媒の流量調整のための前記第一キャピラリチューブ７および前記第二キャピラリチューブ９による抵抗を最適な抵抗に合わせることにより、低圧側の圧力のみが上昇する結果となって前記室内側熱交換器5aおよび5bへの結氷を効果的に防止できるようになる。
【００１２】
即ち、通常の運転時に、前記第一バイパス路Ａおよび前記第二バイパス路Ｂは、前記第一電磁弁６および前記第二電磁弁８を閉じることによって閉塞されることになり、低外気温時の冷房運転時に、前記温度検出器10で検出された前記室内側熱交換器5aおよび5bの温度が所定の温度以下になった時、前記第一電磁弁６および前記第二電磁弁８を開いて低圧を上昇させ、結氷を防止できる。
【００１３】
また、通常の冷暖房運転時に、前記第一電磁弁６および前記第二電磁弁８を開放することによって、前記第一バイパス路Ａおよび前記第二バイパス路Ｂをパワーセーブバイパスとして使用できるようになって、運転効率を向上できるようになる。
【００１４】
以上の構成により、図１に基づいて上記に説明したとおり、前記第一バイパス路Ａおよび前記第二バイパス路Ｂを使用することにより、低外気温時の冷房運転時には、前記圧縮機１のＯＮーＯＦＦを繰り返すことなく、前記室内側熱交換器5aおよび5bへの結氷を効果的に防止できるようにし、通常の冷暖房運転時には、パワーセーブできるようにした空気調和機となる。
【００１５】
【発明の効果】
以上のように本発明によると、低外気温時における冷房運転時に室内側熱交換器への結氷を防止できるとともに、通常の冷暖房運転時にパワーセーブバイパスとして使用できるバイパス路を設けた冷凍可逆サイクルでなる空気調和機となる。
【図面の簡単な説明】
【図１】本発明による空気調和機の冷凍サイクル図である。
【図２】従来例による空気調和機の冷凍サイクル図である。
【符号の説明】
１  圧縮機
２  四方弁
３  室外側熱交換器
４  キャピラリチューブ
５  室内機
5a，5b  室内側熱交換器
６  第一電磁弁
７  第一キャピラリチューブ
８  第二電磁弁
９  第二キャピラリチューブ
10  温度検出器
Ａ  第一バイパス路
Ｂ  第二バイパス路
【図１】
0004539792.tif 000002
【図２】
0004539792.tif 000003